(57)【特許請求の範囲】
【請求項１】
一端に空気取入口（１４）が備えられた案内筒（１３）と、案内筒（１３）の他端に連設され、空気取入口（１４）から入って案内筒（１３）を通ってくる空気を拡散させて吹き出すために吹き出し方向に向かって広がった吹出口（１６）を形成する吹出口形成部材（１５）とを含む本体（１１）および前記本体（１１）の吹出口（１６）に取り付けられた調整体（１２）を含む空気吹出器において、
調整体（１２）は、吹出口（１６）に配置されて、案内筒（１３）の中心軸に対してほぼ直交方向に広がり、吹き出す空気を周囲へ拡散させるために、吹出口（１６）の最大開口面積よりも小さく、案内筒（１３）の開口よりも大きくされている風向調整板（２５）と、風向調整板（２５）の上面からほぼ直角に上方へ延び出した複数の連結板（２６，２７）とを有し、
連結板（２６，２７）は、その先端側から案内筒（１３）に挿入されて、案内筒（１３）内の任意の位置で係止保持される形状であり、
複数の連結板（２６，２７）の間は、案内筒（１３）の他端から吹出口（１６）へと流れる空気の通路（２８）が形成されていることを特徴とする天井取付型の空気吹出器。
【請求項２】
請求項１記載の空気吹出器において、
連結板（２７）には、案内筒（１３）の内面と当接する面に、挿入方向に細かな凹凸（２９）が形成されており、
凹凸（２９）と対向する案内筒（１３）の内面には、凹凸（２９）と噛み合う小突起（３１）が形成されていることを特徴とする天井取付型の空気吹出器。
【請求項３】
請求項１または２記載の空気吹出器において、
連結板（２６，２７）の案内筒（１３）内への挿入具合を変えることにより、案内筒（１３）の他端から吹出口（１６）内へ臨む通路（２８）の開口面積が変化し、それによって吹出口（１６）から吹き出される空気風量が調整できることを特徴とする天井取付型の空気吹出器。
【請求項４】
請求項１ないし３のいずれかに記載の空気吹出器において、
本体（１１）および調整体（１２）は、それぞれ、樹脂により一体成形されていることを特徴とする天井取付型の空気吹出器。
【発明の詳細な説明】
【０００１】
【発明の属する技術分野】
この発明は、住宅やビル等に設置される吸排気システムの一部として活用される天井取付型の空気吹出器に関する。
【０００２】
【従来の技術】
最近の住宅は、アルミサッシの多用や建築工法の向上によって気密性が高くなってきている。その中でも、冷暖房の効率を良くするため、特に気密性を高めた高気密住宅が住宅メーカから提案されている。このような気密性の高い住宅には、強制的に外気を室内に導入し、室内の空気を住宅外へ排気する吸排気システムを取り付ける必要がある。
【０００３】
図１に、吸排気システムの一例を図解的に示す。図１において、天井裏には全熱交換ユニット１が配置されている。このユニット１には、壁２を通って外部に延びる排気ダクト３および給気ダクト４がつながっている。全熱交換ユニット１には天井板５にあけられた孔を介して室内空間に臨む吸込口６が備えられている。さらにユニット１には延長ダクト７がつながれている。
【０００４】
延長ダクト７の先端には空気吹出器８が接続されている。空気吹出器８は天井板５にあけられた孔に取り付けられていて、吹出口９が室内空間に臨んでいる。
吸排気システムが運転されると、吸込口６から室内空間の空気が吸い込まれ、給気ダクト４から新鮮な外気が取り込まれる。そして吸い込まれた空気と取り込まれた外気とはユニット１内において熱交換がされる。その後吸い込まれた空気は排気ダクト４を通って外部に放出され、取り込まれて熱交換された外気は、延長ダクト７を通って空気吹出器８の吹出口９から室内空間へ吹き出される。
【０００５】
このように吸排気システムにおいては、天井板５に取り付けられる空気吹出器８が必要であり、従来より種々の空気吹出器が提案され、実用化されている。
【０００６】
【発明が解決しようとする課題】
ところが、従来の空気吹出器は、
▲１▼天井板５に取り付ける際に室内空間側からビスで止めるため、取付後にビスが見えて見栄えの良くないもの、
▲２▼取り付けた後の風量調整が困難なもの、
▲３▼工具を用いずに取り付けることができるが、天井板５に取り付けた後に、取付状態が不安定なもの、
等があり、改良が望まれていた。
【０００７】
そこでこの発明は、施工時に天井に取り付けやすい空気吹出器を提供することである。また、天井への取付状態が安定した空気吹出器を提供することである。さらには、天井への取付構造が簡易で、風量調整が容易で、安価な空気吹出器を提供することである。
【０００８】
【課題を解決するための手段および効果】
請求項１に記載の発明は、一端に空気取入口が備えられた案内筒と、案内筒の他端に連設され、空気取入口から入って案内筒を通ってくる空気を拡散させて吹き出すために吹き出し方向に向かって広がった吹出口を形成する吹出口形成部材とを含む本体および前記本体の吹出口に取り付けられた調整体を含む空気吹出器において、調整体は、吹出口に配置されて、案内筒の中心軸に対してほぼ直交方向に広がり、吹き出す空気を周囲へ拡散させるために、吹出口の最大開口面積よりも小さく、案内筒の開口よりも大きくされている風向調整板と、風向調整板の上面からほぼ直角に上方へ延び出した複数の連結板とを有し、連結板は、その先端側から案内筒に挿入されて、案内筒内の任意の位置で係止保持される形状であり、複数の連結板の間は、案内筒の他端から吹出口へと流れる空気の通路が形成されていることを特徴とする天井取付型の空気吹出器である。
【０００９】
請求項２記載の発明は、請求項１記載の空気吹出器において、連結板には、案内筒の内面と当接する面に、挿入方向に細かな凹凸が形成されており、凹凸と対向する案内筒の内面には、凹凸と噛み合う小突起が形成されていることを特徴とする天井取付型の空気吹出器である。
請求項３記載の発明は、請求項１または２記載の空気吹出器において、連結板の案内筒内への挿入具合を変えることにより、案内筒の他端から吹出口内へ臨む通路の開口面積が変化し、それによって吹出口から吹き出される空気風量が調整できることを特徴とする天井取付型の空気吹出器である。
【００１０】
請求項４記載の発明は、請求項１ないし３のいずれかに記載の空気吹出器において、本体および調整体は、それぞれ、樹脂により一体成形されていることを特徴とする天井取付型の空気吹出器である。
請求項１および３に記載の構成によれば、本体に対して調整体の連結板を吹出口から案内筒内へ挿入するだけで、本体に対して調整体を取り付けることができる。しかも、連結板の案内筒内への挿入量、言い換えれば調整体の風向調整板を、吹出口内において上下に変化させるだけで、吹出口からの空気の吹出流量を調整できる。この調整は室内空間側から手によって簡単に行うことができる。従って空気の吹出流量の調整が非常に容易であり、快適な吹出状態に設定がしやすい。
【００１１】
請求項２記載の構成では、本体に対する調整体の取り付けが、連結板に形成された細かな凹凸と、案内筒の内面に形成された小突起との噛み合いにより実現される。従って連結板を案内筒内で上下に変位させた場合、連結板は案内筒内の任意の位置で係止される。従って吹出口内における調整体の配置位置を短時間でかつ所望の位置に自由に調整することができる。
【００１２】
しかも、連結板に形成された凹凸や、案内筒の内面に形成された小突起は、樹脂加工等により簡単に形成できるから、作成が容易であり、しかも安価に作れる。
さらに請求項４記載のように、本体および調整体を樹脂により一体成形することにより、安価に空気吹出器を製造することができる。
【００１３】
【発明の実施の形態】
以下には、図面を参照して、この発明の一実施形態について詳細に説明をする。
図２は、この発明の一実施形態にかかる空気吹出器を斜め下方から見た斜視図であり、図３は、それを斜め上方から見た斜視図である。いずれの図も、本体１１と風量調整体１２とが分離された状態で示されている。
【００１４】
図２および図３を参照して、この実施形態にかかる空気吹出器は、本体１１および調整体１２を含む。本体１１および調整体１２は、それぞれ、樹脂による一体成形品として構成されているが、それぞれ、別部材を組合わせて構成することも可能である。
本体１１には案内筒１３が備えられており、案内筒１３の上端はダクト等が連結される空気取入口１４となっている。案内筒１３の下端には吹出ガイド１５が連設されている。吹出ガイド１５は案内筒１３の中心軸に対して交差方向に広がっている。より具体的には、空気取入口１４から案内筒１３内を通ってくる空気を拡散させて吹き出すために、空気吹出方向に向かって大きく広がり、吹出口１６を形成している。吹出ガイド１５の周縁には、本体１１を天井に配置した場合に水平方向に広がるフランジ１７が備えられている。
【００１５】
この実施形態では吹出ガイド１５は、その平面形状が略正方形状をしているが、円形、楕円形等の平面形状であってもよい。
案内筒１３および吹出ガイド１５の連結位置近傍には、案内筒１３の中心軸に対してほぼ対称な位置に、２対の係止部１８，１９が備えられている。一方の対をなす係止部１８は、吹出ガイド１５から見て相対的に上方に設けられている。他方の対をなす係止部１９は、一方の対をなす係止部１８よりも吹出ガイド１５寄りに設けられている。係止部１８には係止孔１８ａ，１８ｂが形成されており、係止部１９には係止孔１９ａ，１９ｂが形成されている。
【００１６】
図３に示すように、一方の対をなす係止部１８または他方の対をなす係止部１９に、一対の板ばね２０の根元側が係止される。図３においては、係止部１８および係止部１９の両方に板ばね２０が係止された状態が示されているが、実際には、上述したように、いずれか一方の対の係止部１８または１９が使用され、両方が同時に使用されることはない。
【００１７】
係止部１８により、板ばね２０は次のように係止される。すなわち、板ばね２０の根元側２０ａにはクランク状に折り曲げられた嵌合形状２０ｂが形成されている。そして根元側２０ａは係合孔１８ａに差し込まれ、嵌合形状２０ｂの先端が係合孔１８ｂから外側に突出するように取り付けられている。これにより、板ばね２０は、根元側２０ａが係合部１８に固定され、その先端部２０ｃ側に、フランジ１７側への弾性力が生じる形状になっている。
【００１８】
係止部１９に対しても同様に係止されており、板ばね２０の根元側２０ａが係止孔１９ａに差し込まれ、嵌合形状２０ｂの先端が係止孔１９ｂから外側へ突出するようにされている。
図４は、天井板５に形成された孔２１に本体１１が取り付けられた状態を示す図解的な断面図である。図４の左半分の断面図は、厚みの厚い天井板５Ａに取り付けられた場合、図４の右半分の断面図は、厚みの薄い天井板５Ｂに取り付けられた場合が示されている。
【００１９】
一般に天井板５は、その厚みが規格で決まっており、９．５ｍｍまたは１２．５ｍｍの２種類がある。この実施形態にかかる空気吹出器は、厚みの厚い天井板５Ａに対しても、厚みの薄い天井板５Ｂに対しても、良好に取り付けられるよう、２対の係止部が設けられ、厚い天井板５Ａに取り付けられる場合には、係止部１８が使用され、薄い天井板５Ｂに取り付けられる場合には、係止部１９が使用される。
【００２０】
図３および図４を参照して、係止部１８が使用される場合を例にとって説明する。根元側２０ａが係止部１８に係止された板ばね２０は、吹出ガイド１５の広がり方向に延びている。そしてその先端側２０ｃは、フランジ１７に対向し、フランジ１７側への弾性力を生じている。
本体１１は、フランジ１７の上面が天井板５Ａの下面に当接するように取り付けられる。このため、フランジ１７と板ばね２０の先端側２０ｃとによって天井板５Ａが弾性的に挟まれることにより、本体１１は天井板５Ａに取り付けられている。
【００２１】
より具体的に取り付け方を説明する。まず、天井板５Ａにあけられた孔２１に下側（室内側）から本体１１を嵌め込む。そして吹出口１６側から板ばね２１を挿入し、係止孔１８ａに、板ばね２０を先端側２０ｃから差し込んで、板ばね２０が案内筒１３から外方に延び出すようにする。そして板ばね２０の根元側２０ａの嵌合形状２０ｂを係止孔１８ａに嵌める。嵌合形状２０ｂは、クランク状に折り曲げられている。それゆえ嵌合形状２０ｂを係合孔１８ｂに嵌めると、板ばね２０の根元側２０ａが本体１１に対して固定されると共に、先端側２０ｃには、下向きの弾性力が生じる。この弾性力により、天井板５Ａが押さえられて、板ばね２０とフランジ１７上面とにより、天井板５Ａが弾性的に挟まれる。これによって本体１１は天井板５Ａにしっかりと取り付けられる。
【００２２】
係止部１９を用いた取り付け方も同様である。
次に、図２および図３を再び参照して、調整体１２の構成について説明をする。
調整体１２は、平面形状が正方形状の風向調整板２５と、風向調整板２５の上面から直角に上方へ延び出した２対の連結板２６，２７とを有する。風向調整板２５は、吹出口１６の最大開口面積よりも小さく、案内筒の開口よりも十分に大きくされている。なお、吹出口１６がたとえば円形の場合には、風向調整板も、吹出口１６の形状に相似するように円形にされる。各連結板２６，２７は、風向調整板２５に平行な断面が円弧状をしており、４枚の連結板２６，２７の断面をつなぐと、案内筒１３の内周面に接する円が形成される形状になっている。各連結板２６，２７の間には所定幅の通路２８が形成されている。この通路２８は案内筒１３を通ってきた空気が通過する。
【００２３】
一方の対をなす連結板２７には、その外表面に上下方向の凹凸２９が形成されている。凹凸２９が形成された部分は、連結板２７に対して弾性を備えるよう、連結板２７の上端から切り込まれた平行な２つの切り込み３０によって囲まれている。
図５は本体１１および調整体１２を組合わせた状態の断面構造を示す図解図である。案内筒１３の内周面には、調整体１２に形成された上記凹凸２９に対向するように、１つまたは上下方向に配置された複数の小突起３１が形成されている。それゆえ調整体１２の連結板２６，２７を、吹出口１６から案内筒１３内へ差し込むと、連結板２７の外表面に形成された凹凸２９と、案内筒１３内の小突起３１とが噛み合って、調整体１２は本体１１に対して、差し込まれた位置で保持される。また、調整体には本体１１に対して上下方向に可変可能である。
【００２４】
調整体１２を上方へスライドさせると、案内筒１３の下端から吹出口１６内に延び出している連結板２６，２７が短くなる。このため連結板２６，２７間に形成された上記所定幅の通路２８の開口面積も狭くなる。逆に、調整体１２を下方へスライドさせると、案内筒１３の下端から吹出口１６内に延び出している連結板２６，２７が長くなり、各連結板２６，２７間に形成された通路２８の開口面積が大きくなる。よって、調整体１２を上下方向にスライドさせ、所望の位置で保持させることにより、通路２８の開口面積を変化させることができるから、案内筒１３から通路２８を通って吹出口１６へと流れる空気流量を変化させることができる。
【００２５】
上記調整体の上下方向へのスライドおよびそれによる位置調整は、室内側から簡単に人の手で行うことができる。
上述の説明では、２対の連結板２６，２７のうちの一方の対をなす連結板２７の外表面に、上下方向の凹凸２６が形成されている例を示したが、すべての連結板２６，２７の外表面に上下方向の凹凸２９が形成されていてもよい。この場合は、案内筒１３の内表面に、各凹凸２９に対向するように、１つまたは上下方向に配置された複数の小突起３１が形成されていればよい。
【００２６】
また、調整体１２を案内筒１３内へ差し込む際に、調整体１２の風向調整板２５の周辺が吹出口１６の周辺と平行になるように、調整体１２の挿入方向を位置決めする必要がある。この位置決めを容易にするために、案内筒１３の内周面に、位置決めガイドが設けられていてもよい。位置決めガイドは、調整体１２が差し込まれる際に、通路２８に対応する位置に突出した小突起により構成することができる。
【００２７】
この発明にかかる空気吹出器は、以上説明した吸排気システムに適用できる他、空気調和機のための空気吹出口としても利用することができる。特に、空気調和機本体から離れた位置に空気吹出口を設ける場合等に好適な空気吹出器とすることができる。
以上説明した実施形態の内容に制限されるものではなく、この発明は、請求項記載の範囲内において種々の変更が可能である。
【図面の簡単な説明】
【図１】吸排気システムの一例を図解的に示す図である。
【図２】この発明の一実施形態にかかる空気吹出器を斜め下方から見た斜視図である。
【図３】この発明の一実施形態にかかる空気吹出器を斜め上方から見た斜視図である。
【図４】天井板に形成された孔に本体が取り付けられた状態を示す図解的な断面図である。
【図５】本体および調整体を組合わせた状態の断面構造を示す図解図である。
【符号の説明】
１１    本体
１２    調整体
１３    案内筒
１４    空気取入口
１５    吹出ガイド
１６    吹出口
１７    フランジ
１８，１９    係止部
１８ａ，１８ｂ，１９ａ，１９ｂ    係止孔
２０    板バネ
２０ａ    根元側
２０ｂ    嵌合形状
２０ｃ    先端側
２５    風向調整板
２６，２７    連結板
２８    通路
２９    凹凸
３１    小突起
【図１】
0004154766.tif 000002
【図２】
0004154766.tif 000003
【図３】
0004154766.tif 000004
【図４】
0004154766.tif 000005
【図５】
0004154766.tif 000006